(57)【要約】      （修正有）【課題】選定された窓枠型等の確認、および窓枠型等の再選定を容易かつ的確に行うことができる印刷用紙を提供する。【解決手段】印刷用媒体１は、建築物の間取り図３と、建築物に対して選定候補となる窓枠およびサッシに係る参照用建材情報５と、建築物に対して選定されている窓枠およびサッシに係る取付用建材情報４ａ〜４ｉと、が表示されている。参照用建材情報は、最下段または最上段に表示され、取付用建材情報は、間取り図を取り囲む領域における建築物の開口部形成位置近傍に表示されている。【選択図】図１
0003208141.tif 000002
【実用新案登録請求の範囲】
【請求項１】
建築物の間取り図と、
以下の（α１）から（α３）までを少なくとも含む参照用建材情報と、
以下の（β１）および（β２）を少なくとも含む取付用建材情報と、が印刷されていることを特徴とする印刷用媒体。
（α１）上記建築物に対して選定候補となる複数のサッシのそれぞれに係る種類を示すサッシ呼称
（α２）複数の上記サッシ呼称のそれぞれに対応するサッシの形状を示すサッシ形状図
（α３）上記建築物に対して選定候補となる複数の窓枠型のそれぞれに係る形状を示す窓枠型形状図
（β１）上記建築物に対して選定されている窓枠型
（β２）上記建築物に対して選定されているサッシの種類を示すサッシ呼称
【請求項２】
上記参照用建材情報は、複数の上記サッシ呼称のうちの一部が他のサッシ呼称より大きく印刷されているとともに、当該一部のサッシ呼称のそれぞれに係るサッシ形状図が他のサッシ形状図より大きく印刷されていることを特徴とする請求項１に記載の印刷用媒体。
【請求項３】
上記参照用建材情報は、複数の上記サッシ呼称のうちの一部と、当該一部のサッシ呼称のそれぞれに係るサッシ形状図と、に色彩が付された状態で印刷されていることを特徴とする請求項１または２に記載の印刷用媒体。
【請求項４】
上記取付用建材情報は、上記建築物に対して選定されているサッシの寸法呼称をさらに含んでおり、
上記窓枠型、上記サッシ呼称および上記寸法呼称について、上記サッシ呼称が最下段または最上段に表示されるように、段状に印刷されていることを特徴とする請求項１から３のいずれか１項に記載の印刷用媒体。
【考案の詳細な説明】
【技術分野】
【０００１】
本考案は、建材の選定や発注を間違いなく行うための印刷用媒体に関する。
【背景技術】
【０００２】
従来から、住宅建築等においては、顧客の要望を聞き取った上で間取り図および見積書等を作成した後、これらを顧客に提示している。提示した間取り、使用する内装材、見積等に顧客が満足しない場合、満足しない点等を聞き取った上で再び間取り図や見積書等を作成し、顧客に再提示している。このようなやり取りを複数回繰り返すことにより、顧客の最終的な要望に合った建材を受注することとなる。
【０００３】
上述したやり取りの際、建材選定のために間取りおよび見積書等と併せて顧客に提示する資料としては、例えば、特許文献１に開示されている建築資材情報に関する伝達用印刷媒体物が挙げられる。この伝達用印刷媒体物は、建築資材情報インデックス用紙と資料請求カードとで構成されている。これらのうち、建築資材情報インデックス用紙には、建築資材名、建築資材に係る製品の図面等が独立した１つの枠内に表示されているとともに、枠毎に、その枠内に表示されている建築資材（建材）の種類が一見して分かるようなシンボルマークが付されている。
【先行技術文献】
【特許文献】
【０００４】
【特許文献１】実開昭５０−１２７５２２号公報
【考案の概要】
【考案が解決しようとする課題】
【０００５】
近年では、例えば建材の１つであるサッシにおいて、その寸法呼称は同一であるが取付ける窓枠のサイズが異なる複数の製品が開発・販売されるようになった。したがって、見積書の作成に当たってサッシの種類を特定することが不可欠になってきた。また、このようなサッシ製品の開発・販売に伴って、窓枠のサッシへの取り付け方も当該製品の種類によって異なるようになり、窓枠型の種類の選定も不可欠になってきた。しかしながら、特許文献１に開示された建築資材情報インデックス用紙には、サッシ・窓枠の種類に係る情報は何ら記載されておらず、顧客に対して見積内容等が適切であるか否かの判断材料を十分に提供できないという問題があった。また、選定されたサッシに対して窓枠型が適合せず、取付対象の建築物の開口部に取付けできず、顧客要望に適合しないことが判明した場合に、建築資材情報インデックス用紙から顧客要望に適合するサッシ・窓枠を新たに選定することができないという問題点もあった。
【０００６】
さらに、上記の建築資材情報インデックス用紙には建築資材に関する情報のみが記載され、当該建築資材が取付けられる建築物の間取りは図示されていない。したがって、顧客が間取りを参照しつつ、選定された建築資材が取付対象の建築物の構造等に適合しているか否か、取付位置が顧客の要望に適合しているか否かを視覚的に確認することができないという問題点もあった。
【０００７】
本考案は、前記の各問題点に鑑みてなされたものであり、その目的は、１枚の印刷用媒体で、選定されたサッシに対して適切な窓枠が選定されていること、また、取付対象の建築物の開口部に取付けできることなど、顧客要望に適合しているか否かを容易に確認できるとともに、サッシ・窓枠型の新たな選定もできるようにすることにある。
【課題を解決するための手段】
【０００８】
上記の課題を解決するために、本考案の一態様に係る印刷用媒体は、
建築物の間取り図と、
以下の（α１）から（α３）までを少なくとも含む参照用建材情報と、
以下の（β１）および（β２）を少なくとも含む取付用建材情報と、が印刷されていることを特徴とする。
【０００９】
（α１）上記建築物に対して選定候補となる複数のサッシのそれぞれに係る種類を示すサッシ呼称
（α２）上記複数のサッシ呼称のそれぞれに対応するサッシの形状を示すサッシ形状図
（α３）上記建築物に対して選定候補となる複数の窓枠型のそれぞれに係る形状を示す窓枠型形状図
（β１）上記建築物に対して選定されている窓枠型
（β２）上記建築物に対して選定されているサッシの種類を示すサッシ呼称
から成る。
【００１０】
上記構成によれば、間取り図、参照用建材情報および取付用建材情報が１枚の印刷用媒体に印刷されている。したがって、顧客等は１枚の印刷用媒体を見るだけで、間取り図を参照しつつ、選定されたサッシに対して適切な窓枠型が選定され、取付対象の建築物の開口部に取付けできて、顧客要望に適合しているか否かを容易に確認することができる。また、選定されたサッシや窓枠型等が上記の開口部の顧客要望に適合しないことが判明した場合でも、本考案に係る印刷用媒体以外の資料を用いることなく、本考案に係る印刷用媒体に印刷された間取り図を参照して、別のサッシや窓枠型等を選定することができる。
【００１１】
一方、建材販売業者または現場作業者等は、１枚の印刷用媒体を見るだけで、選定されたサッシに対して適切な窓枠型が選定され、取付対象の建築物の開口部に取付けできて、顧客要望に適合するか否かを容易に判断することができる。また、上記の開口部の顧客要望に適合しない場合には、本考案に係る印刷用媒体に印刷された間取り図を参照して顧客要望に適合するサッシや窓枠型等を新たに選定し、顧客に提示することもできる。
【００１２】
以上より、１枚の印刷用媒体で、選定されたサッシ・窓枠型の適合性の確認、およびサッシや窓枠型等の新たな選定を容易かつ的確に行うことができる。
【００１３】
また、上記の課題を解決するために、本考案の一態様に係る印刷用媒体において、
上記参照用建材情報は、複数の上記サッシ呼称のうちの一部が他のサッシ呼称より大きく印刷されているとともに、当該一部のサッシ呼称のそれぞれに係るサッシ形状図が他のサッシ形状図より大きく印刷されていることが好ましい。
【００１４】
上記構成によれば、顧客に対して、サッシ呼称およびサッシ形状図が他のサッシより大きく表示されたサッシを視覚的に強く印象付けることができる。したがって、例えば、自社製品に係るサッシや顧客に勧めたいサッシ製品などのサッシ呼称およびサッシ形状図が他のサッシより大きくなるように印刷することで、建材販売業者等の意図するサッシ製品を顧客に印象付けることができ、当該製品の販売促進をサポートできる。
【００１５】
あるいは、間取り図上に選定されているサッシに対応するサッシ呼称およびサッシ形状図が、他のサッシのそれとは大きさが異なるように印刷することで、意図したものを選択しているか否かの確認に役立つ。その際、選定されていないものだけを大きく印刷することも、意図したものを選択しているか否かの確認に役立つ場合がある。
【００１６】
また、上記の課題を解決するために、本考案の一態様に係る印刷用媒体において、
上記参照用建材情報は、複数の上記サッシ呼称のうちの一部と、当該一部のサッシ呼称のそれぞれに係るサッシ形状図と、に色彩が付された状態で印刷されていることが好ましい。
【００１７】
上記構成によれば、顧客に対して、サッシ呼称およびサッシ形状図に色彩が付されたサッシを視覚的に強く印象付けることができる。したがって、例えば、自社製品に係るサッシや顧客に勧めたいサッシ製品などのサッシ呼称およびサッシ形状図に色彩を付した状態で印刷することで、建材販売業者等の意図するサッシ製品を顧客に印象付けることができ、当該製品の販売促進をサポートできる。
【００１８】
あるいは、間取り図の記号とサッシ呼称およびサッシ形状図の色彩を一致させて印刷することで、それらの対応が容易に分かる表示態様を実現することができ、意図したものを選択しているか否かの確認に役立つ。
【００１９】
また、上記の課題を解決するために、本考案の一態様に係る印刷用媒体について、
上記取付用建材情報は、上記建築物に対して選定されているサッシの寸法呼称をさらに含んでおり、
上記窓枠型、上記サッシ呼称および上記寸法呼称について、上記サッシ呼称が最下段または最上段に表示されるように、段状に印刷されていることが好ましい。
【００２０】
サッシの種類が標準タイプの場合、サッシ呼称を設定しないケースがある。その点、上記構成によれば、取付用建材情報の各情報要素である窓枠型、サッシ呼称および寸法呼称が段状に印刷されているとともに、サッシ呼称が最下段または最上段の表示で印刷されている。
【００２１】
したがって、窓枠型と寸法呼称の間に空白行を挟んだ表示態様で印刷されることがなくなり、取付用建材情報を構成する各情報の表示順序が一定となる。また、前記各情報の一塊での認識性が損なわれることを防止できる。
【考案の効果】
【００２２】
本考案の一態様に係る印刷用媒体によれば、選定されたサッシと窓枠型の適合性の確認、それらの顧客要望の確認、およびサッシや窓枠型等の新たな選定を容易かつ的確に行うことができる。また、サッシが先に選定された際には、当該サッシに適合した窓枠型が選定されているか否かを容易かつ的確に確認することができる。
【図面の簡単な説明】
【００２３】
【図１】本考案の一実施形態に係る部材配置図提示用紙に印刷された部材配置図を示す説明図である。
【図２】図１に示す部材配置図に表示された参照用部材情報欄のうち、窓枠型欄の表示を拡大した図である。
【図３】図１に示す部材配置図に表示された参照用部材情報欄のうち、サッシ欄の表示を拡大した図である。
【考案を実施するための最良の形態】
【００２４】
以下、本考案に係る印刷用媒体の一実施形態について、図１〜図３を参照しつつ、詳細に説明する。図１は、部材配置図提示用紙１に印刷された部材配置図２を示す説明図である。図２は、部材配置図２に表示された参照用部材情報欄５のうち、窓枠型欄５ｂの表示を拡大した図である。図３は、部材配置図２に表示された参照用部材情報欄のうち、サッシ欄５ｃの表示を拡大した図である。
【００２５】
なお、本明細書中の「選定」との文言は、本考案に係る印刷用媒体に印刷された建築物について、（i）当該建築物が新築の場合にサッシや窓枠型等を選定すること、のみならず（ii）当該建築物をリフォームする場合にサッシや窓枠型等を新たに選定すること、の両者の意味を含んでいる。
【００２６】
＜部材配置図提示用紙＞
図１に示すように、部材配置図提示用紙１（印刷用媒体）は、建材販売業者が販売している窓枠内装材およびサッシの受発注に用いられる部材配置図２が印刷された用紙である。具体的には、住宅建築またはリフォームにおいて、建材販売業者や流通業者等が工務店やビルダー等の施工業者と、あるいは、施工業者が施主となど、その顧客との打合せ時に見積書等と併せて顧客に提示することで、選定されたサッシ・窓枠型および窓枠幅、あるいは、取付方法が取付対象の建築物における所定の開口部毎に顧客要望や建築物に適合しているか否かを顧客とともに確認する。
【００２７】
また、選定されたサッシに対して窓枠型が適合せず、取付対象の建築物の開口部に取付けできず、顧客要望に適合しないことが判明した場合、部材配置図提示用紙１を用いて当該開口部の顧客要望に適合するサッシ・窓枠型を新たに選定し、あるいは窓枠幅を新たに算出する。
【００２８】
ここで、窓枠幅は、選定されたサッシ呼称に基づいて算出する。また、窓枠内装材は板状の部材であり、選定された窓枠型に対応する窓枠が１方窓枠から４方窓枠までのいずれの窓枠廻し方かに応じて数量が変わる。さらに、窓枠内装材は、選定された窓枠型・窓枠幅で納品され、現場でカットし枠に組み立てられるか、開口部毎に選定されたサッシ・窓枠型の仕様、算出された窓枠幅に応じて適宜カット加工され、納品され、枠に組み立てられる。
【００２９】
上述のように、見積書とともに見積根拠としての部材配置図提示用紙１を顧客に提示する形式の打合せを繰り返すことにより、サッシおよび窓枠型の仕様を絞り込み、窓枠内装材およびサッシの指定誤りを防止する。
【００３０】
＜部材配置図＞
部材配置図２は、間取り図３、取付用部材情報４ａ、４ｂ、４ｃ、４ｄ、４ｅ、４ｆ、４ｇ、４ｈ、４ｉ（以下、「取付用部材情報４ａ〜４ｉ」と略記する）および参照用部材情報欄５で構成される。
【００３１】
間取り図３は、選定されたサッシ・窓枠型の仕様に応じた窓枠内装材を用いて組み立てられる窓枠型、および当該選定されたサッシの取付対象となる、建築物の間取りを示す図である。本実施形態では、間取り図３で示された建築物について、その外壁に開口部６ａ、６ｂ、６ｃ、６ｄ、６ｅ、６ｆ、６ｇ、６ｈ、６ｉ（以下、「開口部６ａ〜６ｉ」と略記する）が形成されている。そして、この開口部６ａ〜６ｉのそれぞれに対して選定されている各サッシおよび各窓枠型に係る各情報（すなわち、取付用部材情報４ａ〜４ｉ）が、部材配置図２中に表示されている。
【００３２】
取付用部材情報４ａ〜４ｉ（取付用建材情報）としては、間取り図３で示された建築物の開口部６ａ〜６ｉのそれぞれに対して選定されている窓枠型について、当該各窓枠型の呼称および窓枠幅が部材配置図２中に表示される。また、上記開口部６ａ〜６ｉのそれぞれに対して選定されているサッシについて、当該各サッシの寸法呼称およびサッシ呼称が部材配置図２中に表示される。ここで、サッシ呼称は、複数のサッシのそれぞれに係る種類を示す呼称である。
【００３３】
さらに、取付用部材情報４ａ〜４ｉのそれぞれを構成する各窓枠型の呼称、窓枠幅、サッシの寸法呼称およびサッシ呼称は、間取り図３で示された建築物の開口部６ａ〜６ｉの形成位置近傍に一塊となって、段状に表示される。例えば、部材配置図２中の開口部６ａの表示位置近傍には、窓枠型の呼称「Ａ」、窓枠幅「１２４」、寸法呼称「２２２２３」およびサッシ呼称「ＢＢＢ」が一塊となった取付用部材情報４ａが表示される。
【００３４】
ここで、取付用部材情報４ａの表示「Ｍ０１」は、間取り図３で示される建築物の外壁に形成された開口部について個別に割り当てられた識別番号を表す。さらに、寸法呼称「２２２２３」の周囲は四角で囲まれている。この四角の記号は、開口部Ｍ０１への窓枠廻し方が４方窓枠であることを表す。開口部の窓枠廻し方に応じて寸法呼称の周辺に表示される記号は異なる（図１における「窓枠廻し方欄」の表示参照）。
【００３５】
取付用部材情報４ｂ〜４ｉについても、上述した取付用部材情報ａと同様の表示態様が採用されている。
【００３６】
このように、開口部６ａ〜６ｉのそれぞれに対応する取付用部材情報４ａ〜４ｉを、部材配置図２中の各開口部近傍に表示することで、特定の開口部および当該特定の開口部に対応する取付用部材情報が同一視野に入り易くなる。それゆえ、顧客および建材販売業者等は、部材配置図２を見る際に視線を移動させることなく容易に、特定の開口部と、当該特定の開口部に対応する取付用部材情報とを照らし合わせながら選定されたサッシや窓枠型等が要望に適合しているか否かを確認することができる。
【００３７】
なお、取付用部材情報を構成する窓枠型、窓枠幅、サッシの寸法呼称およびサッシ呼称の部材配置図２中における表示位置・表示態様については、顧客等が、選定されたサッシや窓枠型等が要望に適合しているか否かを部材配置図２を見ながら容易に確認できるのであればどのようなものであってもよい。
【００３８】
参照用部材情報欄５（参照用建材情報）は、部材配置図２における間取り図３の紙面向かって下側の位置に表示される欄であり、窓枠廻し方欄５ａ、窓枠型欄５ｂおよびサッシ欄５ｃで構成されている。窓枠廻し方欄５ａには、廻し方の種類（１方窓枠、２方窓枠、３方窓枠、４方窓枠）の表示、および各廻し方を表す記号（例えば、４方窓枠であれば四角の記号）が表示されている。
【００３９】
窓枠型欄５ｂには、図２の（ａ）〜（ｅ）に示すように、窓枠型の種類を表す文字「Ａ」、「Ｂ」、「Ｃ」、「Ｄ」および「Ｅ」（以下、「窓枠型「Ａ」〜「Ｅ」」と略記する）が表示されている。また、窓枠型欄５ｂには、窓枠型「Ａ」〜「Ｅ」のそれぞれに係る概略の形状が示された窓枠型形状図５ｂ−１、５ｂ−２、５ｂ−３、５ｂ−４および５ｂ−５（以下、「窓枠型形状図５ｂ−１〜５ｂ−５」と略記する）が表示されている。
【００４０】
窓枠型形状図５ｂ−１〜５ｂ−５は、間取り図３で示される建築物に対して選定候補となる複数の窓枠型「Ａ」〜「Ｅ」のそれぞれに係る形状を示すものであり、文字「Ａ」〜「Ｅ」は、それぞれの文字に対応する各窓枠型形状図の図中に表示されている。
【００４１】
サッシ欄５ｃには、サッシの種類、複数のサッシ呼称および複数のサッシ形状図が表示されている。サッシ欄５ｃに表示された複数のサッシ呼称は、間取り図３に示される建築物に対して選定候補となる複数のサッシのそれぞれに係る種類を示す。また、サッシ欄５ｃに表示された複数のサッシ形状図は、上記複数のサッシ呼称のそれぞれに対応するサッシの形状を示す。
【００４２】
本実施形態では、標準タイプ（サッシ呼称なし）、第１タイプ（サッシ呼称：「ＡＡＡ」）、第２タイプ（サッシ呼称：「ＢＢＢ」）、第３タイプ（サッシ呼称：「ＣＣＣ」）および第４タイプ（サッシ呼称：「ＤＤＤ」）の５種類のサッシが表示されている。また、図３の（ａ）〜（ｄ）に示すように、標準タイプおよび第１タイプのサッシのサッシ形状図５ｃ−１、第２タイプのサッシのサッシ形状図５ｃ−２、第３タイプのサッシのサッシ形状図５ｃ−３および第４タイプのサッシのサッシ形状図５ｃ−４が図示されている。
【００４３】
ここで、標準タイプのサッシ呼称が無い（空白である）設定としていることから、これに対応して、サッシ呼称は、取付用部材情報４ａ〜４ｉの中で当該サッシ呼称が紙面向かって一番下の行（最上段または最下段）に表示されるように印刷されている。このような対応を採ることで、取付用部材情報４ａ〜４ｉの各情報要素の間に空白行を挟んだ表示態様で印刷されることがなくなり、情報の表示順序が一定となる。また、情報の一塊での認識性が損なわれることを防止できる。
【００４４】
なお、参照用部材情報欄５に表示される窓枠型の種類、サッシの種類（対応するサッシ呼称およびサッシ形状図）については上述の場合に限定されず、建材販売業者が任意に変更することができる。
【００４５】
＜参照用部材情報欄の印刷態様の変形例＞
参照用部材情報欄５の部材配置図提示用紙１への印刷態様としては、図１ないし図３に示すような態様の他にも様々な印刷態様を採用することができる。
【００４６】
例えば、サッシ欄５ｃに表示された複数のサッシ呼称のうち、自社製品に係るサッシ呼称（一部）を他のサッシ呼称よりも大きくなるように部材配置図提示用紙１に印刷してもよい。かつ、前記大きく印刷したサッシ呼称のそれぞれに対応するサッシ形状図についても、他のサッシ形状図よりも大きくなるように部材配置図提示用紙１に印刷してもよい（不図示）。
【００４７】
また例えば、サッシ欄５ｃに表示された複数のサッシ呼称のうち、自社製品に係るサッシ呼称（一部）と、当該自社製品に係るサッシ呼称のそれぞれに対応するサッシ形状図と、に色彩を付した状態で部材配置図提示用紙１に印刷してもよい（不図示）。この場合、サッシ形状図にはサッシ呼称に付した色彩と同一の色彩を付してもよいし、異なる色彩を付してもよい。さらに、上述の拡大印刷と色彩の付加とを組み合わせてもよい。
【００４８】
また例えば、サッシ欄５ｃに表示されたサッシ形状図に、躯体に取付ける際の窓枠およびサッシの位置関係を表す寸法を記載することで、サッシそれぞれの取付け仕様の差異をより明確に示してもよい。図１に示すサッシ欄５ｃでは、半外付け納まりを例示しているが、これ以外の納まり例、例えば外付け納まり、に付いてを選択的に表示してもよい。
【００４９】
これらの印刷態様を採用することで、部材配置図提示用紙１を用いて、選定されたサッシと窓枠型の適合性の確認、それらの顧客要望との照合や確認、サッシや窓枠型等の新たな選定を容易かつ的確に行うことができるとともに、建材販売業者が自社で販売しているサッシ製品等を顧客にアピールすることができる。
【００５０】
＜付記事項＞
本考案は上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【符号の説明】
【００５１】
１：部材配置図提示用紙（印刷用媒体）
２：部材配置図
３：間取り図
４ａ、４ｂ、４ｃ、４ｄ、４ｅ、４ｆ、４ｇ、４ｈ、４ｉ：取付用部材情報（取付用建材情報）
５：参照用部材情報欄（参照用建材情報）
【図１】
0003208141.tif 000003
【図２】
0003208141.tif 000004
【図３】
0003208141.tif 000005
【手続補正書】
【提出日】平成28年10月14日(2016.10.14)
【手続補正１】
【補正対象書類名】実用新案登録請求の範囲
【補正対象項目名】全文
【補正方法】変更
【補正の内容】
【実用新案登録請求の範囲】
【請求項１】
建築物の間取り図と、
少なくとも以下の（α１）から（α３）までと、
少なくとも以下の（β１）および（β２）と、が印刷されている用紙であって、
以下の（α１）から（α３）までは、上記間取り図を取り囲む領域の近傍に表示されるように印刷されており、
以下の（β１）および（β２）は、上記間取り図で示された上記建築物の開口部の形成位置近傍に表示されるように印刷されていることを特徴とする用紙。
（α１）上記建築物に対して選定候補となる複数のサッシのそれぞれに係る種類を示すサッシ呼称
（α２）複数の上記サッシ呼称のそれぞれに対応するサッシの形状を示すサッシ形状図
（α３）上記建築物に対して選定候補となる複数の窓枠型のそれぞれに係る形状を示す窓枠型形状図
（β１）上記建築物に対して選定されている窓枠型
（β２）上記建築物に対して選定されているサッシの種類を示すサッシ呼称
【請求項２】
複数の上記サッシ呼称のうちの一部が他のサッシ呼称より大きく印刷されているとともに、当該一部のサッシ呼称のそれぞれに係るサッシ形状図が他のサッシ形状図より大きく印刷されていることを特徴とする請求項１に記載の用紙。
【請求項３】
複数の上記サッシ呼称のうちの一部と、当該一部のサッシ呼称のそれぞれに係るサッシ形状図と、に色彩が付された状態で印刷されていることを特徴とする請求項１または２に記載の用紙。
【請求項４】
上記建築物に対して選定されているサッシの寸法呼称がさらに印刷されており、
上記窓枠型、上記サッシ呼称および上記寸法呼称について、上記サッシ呼称が最下段または最上段に表示されるように、段状に印刷されていることを特徴とする請求項１から３のいずれか１項に記載の用紙。